(57)【要約】【課題】斜め上方から光が入射しても表示が見やすいＬＥＤ表示装置を提供する。【解決手段】開示されるＬＥＤ表示装置は、２次元状に配置された複数のＬＥＤ列１１０と、複数のＬＥＤ列１１０の光出射側に配置された遮光板１２１（遮光部材）とを含む。遮光板１２１には、複数のＬＥＤ列１１０から放射される光を通過させる複数のスリット１２１ｓが形成されている。複数のＬＥＤ列１１０のそれぞれは、水平方向に沿って並べられた複数のＬＥＤ１１１によって構成されている。複数のスリット１２１ｓのそれぞれは、複数のＬＥＤ列１１０のそれぞれに対応するように、水平方向に延びるように形成されている。遮光部材１２１は、斜め上方からの光がＬＥＤに入射することを抑制する。【選択図】図１
2019015771.tif 000002
【特許請求の範囲】
【請求項１】
ＬＥＤ表示装置であって、
２次元状に配置された複数のＬＥＤ列と、
前記複数のＬＥＤ列の光出射側に配置された遮光部材とを含み、
前記遮光部材には、前記複数のＬＥＤ列から放射される光を通過させる複数のスリットが形成されており、
前記複数のＬＥＤ列のそれぞれは、水平方向に沿って並べられた複数のＬＥＤによって構成され、
前記複数のスリットのそれぞれは、前記複数のＬＥＤ列のそれぞれに対応するように、水平方向に延びるように形成され、
前記遮光部材は、斜め上方からの光が前記ＬＥＤに入射することを抑制する、ＬＥＤ表示装置。
【請求項２】
前記ＬＥＤは、ＬＥＤ素子と前記ＬＥＤ素子の光出射側に配置された蛍光体とを含む、請求項１に記載のＬＥＤ表示装置。
【請求項３】
前記ＬＥＤが支持されている支持体と前記遮光部材との間に配置された他の遮光部材をさらに含む、請求項１または２に記載のＬＥＤ表示装置。
【請求項４】
前記他の遮光部材は、前記スリットの上辺および下辺から選ばれる少なくとも一辺で前記遮光部材を前記支持体側に折り曲げることによって形成されている、請求項３に記載のＬＥＤ表示装置。
【請求項５】
複数のＬＥＤを含むＬＥＤ表示装置であって、
前記複数のＬＥＤのそれぞれの光出射側に配置された光透過部材と、前記光透過部材の中および上面のうちの複数の位置に配置された複数のシート状遮光部とを含み、
前記複数のシート状遮光部は、斜め上方からの光が前記ＬＥＤに入射することを抑制するように配置されている、ＬＥＤ表示装置。
【請求項６】
前記ＬＥＤは、ＬＥＤ素子と前記ＬＥＤ素子の光出射側に配置された蛍光体とを含む、請求項５に記載のＬＥＤ表示装置。
【請求項７】
前記シート状遮光部は、水平方向と略平行となるように且つストライプ状に配置されている、請求項５または６に記載のＬＥＤ表示装置。
【発明の詳細な説明】
【技術分野】
【０００１】
本発明は、ＬＥＤ表示装置に関する。
【背景技術】
【０００２】
ＬＥＤを用いて文字を表示するＬＥＤ表示装置は、従来から提案されている（たとえば特許文献１）。ＬＥＤ表示装置に対して、できるだけ広い角度から表示を視認できることが求められている。また、ＬＥＤ表示装置は、屋内だけでなく屋外でも使用される場合がある。その場合、太陽光がＬＥＤに入射することによってＬＥＤの表示が見にくくなる場合がある。特に、照射角が大きいＬＥＤを用いる場合には、太陽光がＬＥＤに入射することによってＬＥＤの表示が見にくくなるという問題が大きくなりやすい。
【先行技術文献】
【特許文献】
【０００３】
【特許文献１】特開２０１７−６７９９１号公報
【発明の概要】
【発明が解決しようとする課題】
【０００４】
このような状況において、本発明は、斜め上方から光が入射しても表示が見やすいＬＥＤ表示装置を提供することを目的の１つとする。
【課題を解決するための手段】
【０００５】
本発明の一実施形態によるＬＥＤ表示装置は、２次元状に配置された複数のＬＥＤ列と、前記複数のＬＥＤ列の光出射側に配置された遮光部材とを含み、前記遮光部材には、前記複数のＬＥＤ列から放射される光を通過させる複数のスリットが形成されており、前記複数のＬＥＤ列のそれぞれは、水平方向に沿って並べられた複数のＬＥＤによって構成され、前記複数のスリットのそれぞれは、前記複数のＬＥＤ列のそれぞれに対応するように、水平方向に延びるように形成され、前記遮光部材は、斜め上方からの光が前記ＬＥＤに入射することを抑制する。
【０００６】
本発明の他の一実施形態によるＬＥＤ表示装置は、複数のＬＥＤを含むＬＥＤ表示装置であって、前記複数のＬＥＤのそれぞれの光出射側に配置された光透過部材と、前記光透過部材の中および上面のうちの複数の位置に配置された複数のシート状遮光部とを含み、前記複数のシート状遮光部は、斜め上方からの光が前記ＬＥＤに入射することを抑制するように配置されている。
【発明の効果】
【０００７】
本発明によれば、斜め上方から光が入射しても表示が見やすいＬＥＤ表示装置が得られる。
【図面の簡単な説明】
【０００８】
【図１】図１は、実施形態１の表示装置の一部を模式的に示す正面図である。
【図２Ａ】図２Ａは、図１に示した表示装置の一部を模式的に示す断面図である。
【図２Ｂ】図２Ｂは、図１に示した表示装置の他の一部を模式的に示す他の断面図である。
【図３】図３は、実施形態１の表示装置の他の一部を模式的に示す他の正面図である。
【図４】図４は、実施形態１の表示装置の他の一例の一部を模式的に示す断面図である。
【図５】図５は、実施形態１の表示装置の他の一例の一部を模式的に示す断面図である。
【図６】図６は、実施形態２の表示装置の一部を模式的に示す正面図である。
【図７Ａ】図７Ａは、実施形態２の表示装置の一部を模式的に示す断面図である。
【図７Ｂ】図７Ｂは、実施形態２の表示装置の一部を模式的に示す他の断面図である。
【発明を実施するための形態】
【０００９】
以下、本発明の実施の形態について説明する。なお、以下の説明では、本発明の実施形態について例を挙げて説明するが、本発明は以下で説明する例に限定されない。以下の説明において特定の数値や特定の材料を例示する場合があるが、本発明はそれらの例示に限定されない。なお、以下の説明において、部材等の方向について説明する場合があるが、特に記載がない限り、それらの方向は、本発明のＬＥＤ表示装置を使用状態に設置したときの方向を意味する。
【００１０】
（ＬＥＤ表示装置）
本発明のＬＥＤ表示装置は、２次元状に配置された複数のＬＥＤと、複数のＬＥＤのそれぞれの光出射側に配置された遮光部材とを含む。遮光部材は、表示装置を使用状態に設置した状態で、斜め上方からの光（たとえば太陽光）がＬＥＤに入射することを抑制する部材である。以下では、ＬＥＤ表示装置を単に表示装置と称する場合がある。
【００１１】
本発明の表示装置では、複数のＬＥＤによって表示（たとえば文字や図形等の表示）が行われる。本発明の表示装置は、複数のＬＥＤを含むセグメントを複数備えてもよい。たとえば、７つのセグメントを用いることによって、数字を表示できる。
【００１２】
ＬＥＤには、様々な種類がある。ＬＥＤ素子の発光の波長幅は狭いため、ＬＥＤ素子単独では様々な波長の光を出射することができない。そのため、ＬＥＤ素子の発光とは異なる波長の光を出射させるために、蛍光体が広く用いられている。たとえば、典型的な白色ＬＥＤの一例では、青色ＬＥＤの光出射側に黄色蛍光体を配置することによって、発光を白色に見せている。また、典型的な白色ＬＥＤの他の一例では、近紫外ＬＥＤの光出射側に青色、緑色、および赤色の３種の蛍光体を配置することによって、発光を白色に見せている。
【００１３】
しかし、蛍光体を用いたＬＥＤの場合、ＬＥＤがオフの状態であっても、太陽光などの光が蛍光体に入射すると蛍光体が発光する場合がある。その場合、オン状態（通電状態）のＬＥＤおよびオフ状態のＬＥＤの両方が発光することになり、表示が読み取りにくくなる。そのため、本発明は、蛍光体を用いたＬＥＤを用いる表示装置で特に有効である。すなわち、本発明の表示装置において、ＬＥＤは、ＬＥＤ素子とＬＥＤ素子の光出射側に配置された蛍光体とを含んでもよい。ただし、蛍光体を用いていないＬＥＤであっても、ＬＥＤの表面で太陽光が反射して表示が読み取りにくくなる場合があるため、本発明は、蛍光体を用いていないＬＥＤを使用した表示装置にも適用できる。
【００１４】
本発明で用いられるＬＥＤに特に限定はなく、市販のＬＥＤを用いてもよい。砲弾型と呼ばれるＬＥＤは一般的に照射角が狭い。それに対し、表面実装型やチップオンボード型と呼ばれるＬＥＤには、照射角が広い製品がある。できるだけ広い角度から視認可能な点で、照射角が広いＬＥＤを用いることが好ましい。ＬＥＤは、面発光型のＬＥＤであってもよい。ＬＥＤは、表面実装型やチップオンボード型のＬＥＤであってもよい。照射角が広いＬＥＤとして、表面実装型やチップオンボード型のＬＥＤが多数市販されている。ＬＥＤは、チップＬＥＤであってもよい。
【００１５】
本発明の表示装置の用途に限定はない。用途の例には、屋外での表示が含まれ、たとえば、ガソリンスタンドにおける値段表示などが含まれる。そのような店頭での表示の場合、上下方向の視野角の広さが求められることは少なく、水平方向の視野角の広さが重要となることが多い。
【００１６】
本発明の表示装置は、典型的には、ＬＥＤの光軸が水平方向と略平行となるように設置される。しかし、ＬＥＤの光軸が水平から傾くように表示装置を設置してもよい。たとえば、表示装置を高い位置に配置して斜め下方に向けて表示を行うために、斜め下方に傾けて表示装置を設置してもよい。
【００１７】
本発明の表示装置の２つの例（第１および第２の例）について、以下に説明する。
【００１８】
（第１の例の表示装置）
第１の例の表示装置は、２次元状に配置された複数のＬＥＤ列と、複数のＬＥＤ列の光出射側に配置された遮光部材とを含む。遮光部材には、複数のＬＥＤ列から放射される光を通過させる複数のスリット（細長い開口部）が形成されている。複数のＬＥＤ列のそれぞれは、水平方向に沿って並べられた複数のＬＥＤによって構成されている。複数のスリットのそれぞれは、複数のＬＥＤ列のそれぞれに対応するように、水平方向に延びるように形成されている。上述したように、遮光部材は、斜め上方からの光がＬＥＤに入射することを抑制する部材である。第１の例の表示装置の遮光部材を、以下では「遮光部材（Ｓ１）」と称する場合がある。
【００１９】
遮光部材（Ｓ１）は、ＬＥＤに斜め上方からの光が入射することを抑制する。一方、ＬＥＤから出射される光が、表示装置を見る者に届くようにする必要がある。そのため、第１の例の装置の遮光部材（Ｓ１）には、スリットが形成されている。
【００２０】
遮光部材（Ｓ１）は、表示装置の外部から入射する光（典型的には太陽光）を遮光できるものであればよい。遮光部材（Ｓ１）は、鋼板などを用いて形成してもよいし、他の材料（たとえば樹脂）を用いて形成してもよい。必要に応じて、遮光部材（Ｓ１）の表面を黒色に塗装してもよい。典型的な遮光部材（Ｓ１）の一例は、板状の遮光部材（遮光板）である。
【００２１】
ＬＥＤごとにＬＥＤの前方の周囲を囲むように正方形状の開口部を形成した場合、ＬＥＤの照射角が広くても、表示を視認できる角度は狭くなる。そのため、第１の例の表示装置では、水平方向に並べられた複数のＬＥＤ列に対応するように、水平方向に延びるスリットを形成している。これによって、水平方向に広がる光を遮光部材で遮ることを抑制できる。その結果、水平方向に広い角度から表示を視認することが可能になる。
【００２２】
第１の例の表示装置は、ＬＥＤが支持されている支持体と遮光部材（Ｓ１）との間に配置された他の遮光部材をさらに含んでもよい。当該他の遮光部材を、以下では、「遮光部材（Ｓａ）」と称する場合がある。遮光部材（Ｓａ）は、斜め上方から入射してスリットを通過した光が、スリットの下方に位置するＬＥＤに入射することを抑制する。遮光部材（Ｓａ）が板状である場合、遮光部材（Ｓａ）は、水平方向と略平行に配置されてもよい。なお、この明細書において、略平行とは、平行に対する傾きが２０°以内（たとえば１０°以内や５°以内）であることを意味し、平行である場合を含む。
【００２３】
遮光部材（Ｓａ）は、スリットの上辺および下辺から選ばれる少なくとも一辺で遮光部材（Ｓ１）を支持体側に折り曲げることによって形成されていてもよい。具体的には、スリットを形成するために打ち抜かれる部分を折り曲げることによって、遮光部材（Ｓａ）の部分を形成してもよい。この構成によれば、遮光部材（Ｓ１）と遮光部材（Ｓａ）とを一体で簡単に形成できるとともに遮光部材（Ｓａ）の強度を上げることができ、さらに、表示装置の製造も容易になる。
【００２４】
本発明の表示装置の使用時において、仰角（水平方向に対する角度）が３８°以上（たとえば２６°以上）である斜め上方からの光がＬＥＤに入射することを防止できるように遮光部材（表示装置）が構成されてもよい。遮光される入射光の仰角の最小値が小さいほど、太陽光をより広い範囲で遮ることが可能になる。この角度は、遮光部材の配置や構成によって変更できる。具体的には、スリットの位置や垂直方向における幅、遮光部材からＬＥＤまでの距離などによって変更できる。なお、表示装置が使用される場所や状況に応じてこの角度を変更してもよい。
【００２５】
（第２の例の表示装置）
第２の例の表示装置は、複数のＬＥＤを含むＬＥＤ表示装置である。この表示装置は、複数のＬＥＤのそれぞれの光出射側に配置された光透過部材と、その光透過部材の中および上面のうちの複数の位置に配置された複数のシート状遮光部とを含む。複数のシート状遮光部は、斜め上方からの光がＬＥＤに入射することを抑制するように配置されている。
【００２６】
複数のシート状遮光部は、水平方向に沿って配置され、典型的には、水平方向と略平行に配置される。典型的には、複数のシート状遮光部は、互いに略平行に配置される。好ましい一例では、シート状遮光部は、水平方向と略平行となるように配置され、且つ、ストライプ状に配置されている。なお、光透過部材の下面にも、シート状遮光部が配置されていてもよい。複数のシート状遮光部は、光透過部材の中の複数の位置だけに配置されてもよいし、光透過部材の中と光透過部材の上面とに配置されてもよい。
【００２７】
光透過部材とシート状遮光部とを含む部材を、以下では「遮光部材（Ｓ２）」と称する場合がある。遮光部材（Ｓ２）のうちのシート状遮光部は、斜め上方からの光がＬＥＤに入射することを抑制する。一方、光透過部材は、ＬＥＤから出射される光を透過させる。
【００２８】
遮光部材（Ｓ２）の光透過部材は、透光性の材料（たとえば透光性の樹脂やガラス）で形成される。一方、シート状遮光部は、遮光可能な材料（たとえば黒色の塗料や黒色の樹脂）で形成される。遮光部材（Ｓ２）の製造方法に特に限定はなく、公知の技術で製造してもよい。一例の遮光部材（Ｓ２）は、以下の方法で製造することができる。まず、シート状遮光部が形成される位置に隙間を有する光透過部材を、公知の成形法で樹脂を成形することによって形成する。次に、隙間に黒色の塗料を流し込み、シート状の遮光部を形成する。このようにして、遮光部材（Ｓ２）を形成できる。なお、複数の遮光部材（Ｓ２）を一体で形成してもよい。
【００２９】
第２の例の表示装置に用いられる遮光部材（Ｓ２）とＬＥＤとを組み合わせてＬＥＤパッケージとすることも可能である。このＬＥＤパッケージは、ＬＥＤと、ＬＥＤの光出射側に配置された光透過部材と、光透過部材の中および側面のうちの複数の位置に配置された複数のシート状遮光部とを含む。複数のシート状遮光部は、互いに略平行に配置されている。さらに、複数のシート状遮光部は、ＬＥＤの光出射面に対して垂直な方向と略平行に配置される。
【００３０】
本発明の装置について、図面を参照しながら以下に説明する。なお、以下の説明では、同様の部分に同一の符号を付して重複する説明を省略する場合がある。本発明の効果が得られる限り、以下の実施形態の装置の構成は、上述した構成に置き換えることが可能である。以下の実施形態の装置の構成のうち、本発明の効果を奏するために必要でない構成は省略してもよい。１つの実施形態の装置について説明した事項は、他の実施形態の装置の構成に反しない限り他の実施形態の装置にも適用できる。そのため、１つの実施形態で説明した事項は、他の実施形態の説明において説明を省略する場合がある。
【００３１】
（実施形態１）
実施形態１では、第１の例の表示装置の一例について説明する。実施形態１の表示装置１００の一部の正面図を図１に示す。さらに、図１の線IIA−IIAにおける断面図を図２Ａに示し、図１の線IIＢ−IIＢにおける断面図を図２Ｂに示す。図１およびそれ以降の図には、表示装置を使用状態に設置したときの垂直方向ＶＤ（重力と平行な方向）および水平方向ＨＤを図示する場合がある。また、表示が煩雑となるため、一部の符号の表示を省略する場合がある。なお、図２Ｂでは、紙面が水平面であり、図２Ｂにおいて矢印で示す水平方向ＨＤは、水平方向の一例である。他の図でも、水平方向の一例のみを示す場合がある。
【００３２】
表示装置１００は、支持体（支持板）１０１、２次元状に配置された複数のＬＥＤ列１１０、および遮光部材（Ｓ１）である遮光板１２１を含む。それぞれのＬＥＤ列１１０は、水平方向ＨＤに沿って並べられた複数のＬＥＤ１１１によって構成されている。遮光板１２１には、ＬＥＤ列１１０から放射される光ＬＢを通過させる複数のスリット（開口部）１２１ｓが形成されている。図１に示す一例のスリット１２１ｓは、ＬＥＤ１１１から水平に放射される光を少なくとも通過させ、水平以外の方向に放射される光の一部も通過させる。別の観点では、本発明の表示装置の典型的な一例では、スリット１２１ｓは、ＬＥＤ１１１（たとえば、表面実装型などの面発光型のＬＥＤであってもよい）の光出射面に対して垂直な方向（光軸の方向）にＬＥＤ１１１から出射される光を少なくとも透過させ、当該方向以外の方向に出射される光の一部も透過させる。本発明の表示装置の典型的な一例では、板状の遮光部材（Ｓ１）である遮光板１２１は、支持体１０１と略平行に配置される。すなわち、本発明の表示装置の典型的な一例では、遮光板１２１は、複数のＬＥＤ１１１が配置されている面と略平行に配置される。
【００３３】
それぞれのスリット１２１ｓは、ＬＥＤ列１１０に対応するように、水平方向ＨＤに延びるように形成されている。図に示すように、それぞれのスリット１２１ｓは、それが対応するＬＥＤ列１１０が延びる方向（１つのＬＥＤ列１１０中においてＬＥＤ１１１が並べられている方向）と略平行な方向に延びている。図１に示すように、それぞれのＬＥＤ１１１の前方は、スリット１２１ｓによって開口している。図１に示す一例では、正面から見たときに、１つのスリット１２１ｓを通して見えるＬＥＤ１１１は、２個〜４個である。なお、第１の例の表示装置において、１つのスリットを通して見えるＬＥＤの数に特に限定はなく、１〜２０個の範囲にあってもよい。たとえば、図１において水平方向に並ぶ複数のスリット１２１ｓをつなげて１つのスリット１２１ｓとしてもよい。
【００３４】
図１および図２Ａに示すように、遮光板１２１は、スリット１２１ｓ以外の部分（ＬＥＤ１１１の斜め上方の部分を含む）を覆っており、その部分を遮光する。その結果、遮光板１２１は、斜め上方からの光（以下では太陽光として説明する場合がある）がＬＥＤ１１１に入射することを抑制する。スリット１２１ｓを通過してＬＥＤ１１１（正確にはＬＥＤ１１１の光出射面）に入射する経路には、図２Ａに示す経路Ｐ１と経路Ｐ２とがある。経路Ｐ１は、スリット１２１ｓを通過した光が、そのスリット１２１ｓの後方にあるＬＥＤ１１１に入射する経路である。経路Ｐ２は、スリット１２１ｓを通過した光が、そのスリット１２１ｓの後方にあるＬＥＤ１１１ではなく、その下にあるＬＥＤ１１１に入射する経路である。
【００３５】
仰角Ａ１は、経路Ｐ１を通る光のうち、スリット１２１ｓの上端を通過してＬＥＤ１１１の光出射面の下端に入射する入射光の仰角である。仰角Ａ２は、経路Ｐ２を通る光のうち、スリット１２１ｓの下端を通過してＬＥＤ１１１の光出射面の上端に入射する入射光の仰角である。図２Ａに示す一例では、仰角Ａ１以下の仰角の太陽光が、経路Ｐ１によってＬＥＤ１１１に入射する。また、仰角Ａ２以上の仰角の太陽光が、経路Ｐ２によってＬＥＤ１１１に入射する。すなわち、図２Ａに示す一例では、仰角Ａ１より大きく仰角Ａ２より小さい仰角の太陽光は、ＬＥＤ１１１に入射しない。
【００３６】
本発明の表示装置は、仰角Ａ１ができるだけ小さくなるように形成されることが好ましい。さらに、本発明の表示装置は、仰角Ａ２ができるだけ大きくなるように形成されることが好ましい。それらの角度は、スリット１２１ｓの位置や形状、遮光板１２１とＬＥＤ１１１との距離などによって変更できる。さらに、後述するように、遮光部材（Ｓａ）によっても、仰角Ａ２を変更できる。
【００３７】
図２Ｂの構成では、スリット１２１ｓを通して水平方向ＨＤに角度Ｂ１の範囲で、左端のＬＥＤ１１１の光出射面の全体を見ることが可能である。同様に、スリット１２１ｓを通して水平方向ＨＤに角度Ｂ２の範囲で、中央のＬＥＤ１１１の光出射面の全体を見ることが可能である。この明細書では、便宜的に、これらの角度を、ＬＥＤについての視野角（水平方向ＨＤの視野角）と称する場合がある。視野角Ｂ２は、視野角Ｂ１よりも広い。すなわち、水平方向ＨＤに複数のＬＥＤ１１１を並べてＬＥＤ列１１０とし、そのＬＥＤ列１１０に対応するようにスリット１２１ｓを形成することによって、表示装置全体としての水平方向ＨＤの視野角を広くすることができる。本発明の第１の例の表示装置では、それぞれのＬＥＤについて９０°以上（たとえば１２０°以上）の視野角が確保されるようにスリットが形成されることが好ましい。
【００３８】
７セグメント方式を採用した表示装置の一部の一例の正面図を、図３に示す。図３の表示装置１００は、遮光部材（Ｓ１）である遮光板１２１と、複数のセグメント１５０とを含む。それぞれのセグメント１５０では、複数のＬＥＤ１１１が基板１５１に実装され、複数のＬＥＤ列１１０を構成している。それぞれのＬＥＤ列１１０において、ＬＥＤ１１１は水平方向ＨＤに沿って並んでいる。基板１５１は、支持体（図示せず）に固定される。基板１５１は、支持体の一部とみなすことが可能である。遮光板１２１のスリット１２１ｓは、ＬＥＤ列１１０に対応するように配置されている。すなわち、スリット１２１ｓは、水平方向ＨＤに沿って細長く延びる形状を有する。なお、図３に示すように、１つのＬＥＤ１１１のみに対応するように形成されたスリット１２１ｓがあってもよい。その場合でも、スリット１２１ｓは、ＬＥＤ１１１の水平方向ＨＤの視野角が広くなるように、水平方向ＨＤに沿って細長く延びる形状を有する。
【００３９】
上述したように、本発明の第１の例の表示装置は、ＬＥＤが支持されている支持体と遮光部材（Ｓ１）との間に配置された他の遮光部材（Ｓａ）を備えてもよい。遮光部材（Ｓａ）を備える表示装置の一例の一部断面図を図４に示す。
【００４０】
図４に示す表示装置１００は、遮光部材（Ｓａ）である遮光板１２２を備える点のみが図１に示した表示装置１００とは異なるため、重複する説明を省略する。遮光板１２２は、ＬＥＤが支持されている支持体１０１と遮光板１２１との間に配置されている。図４に示す一例では、遮光板１２２は、スリット１２１ｓの上辺で遮光板１２１を支持体１０１側に折り曲げることによって形成されている。図４に示すように、経路Ｐ２を通って入射光がＬＥＤ１１１に入射することを、遮光板１２２によって特に抑制できる。
【００４１】
スリット１２１ｓの上辺側ではなく、スリット１２１ｓの下辺側を折り曲げて遮光板１２２を形成した表示装置の一例の一部断面図を、図５に示す。図５の例でも、図４の例と同様に、経路Ｐ２を通って入射光がＬＥＤ１１１に入射することを、遮光板１２２によって特に抑制できる。なお、図４および図５を比較して分かるように、スリット１２１ｓの下辺側に遮光板１２２を形成した方が、遮光板１２２の長さＬ（支持体１０１に対して垂直な方向の長さ）が短くても高い効果が得られる。長さＬが短くてよい場合、遮光板１２２の形成が容易になるとともに、遮光板１２２と支持体１０１とが干渉することを防止できる。なお、スリット１２１ｓの上辺側と下辺側の両方を折り曲げ、スリット１２１ｓを挟むように２つの遮光板１２２を形成してもよい。
【００４２】
（実施形態２）
実施形態２では、第２の例の表示装置の一例について説明する。実施形態２の表示装置の一部の正面図を図６に示す。一例として、図６には、表示装置２００の一部である１つのセグメント１５０を示している。セグメント１５０を複数配置することによって、図３に示すように、数字や文字を表示することができる。
【００４３】
表示装置２００は、支持体１０１と、支持体１０１上に２次元状に配置された複数のＬＥＤパッケージ２１０（ＬＥＤ１１１）とを含む。ＬＥＤパッケージ２１０の断面図を図７Ａに示し、正面図を図７Ｂに示す。図７Ａの断面図は、図７Ｂの線VIIＢ−VIIＢにおける断面図である。図７Ａおよび図７Ｂでは、表示装置２００を使用状態に設置したときのＬＥＤパッケージ２１０の配置方向を示している。
【００４４】
ＬＥＤパッケージ２１０は、ＬＥＤ１１１と、ＬＥＤ１１１の前方に配置された遮光部材２２０とを含む。図７Ａに示すＬＥＤ１１１は、ＬＥＤ素子１１１ａ、蛍光体を含む透光性の樹脂層１１１ｂ、および枠体１１１ｃを含む。なお、図７Ａに示すＬＥＤは一例であり、本発明で用いられるＬＥＤは、図７Ａに示すものに限定されない。
【００４５】
遮光部材２２０は上述した遮光部材（Ｓ２）であり、光透過部材２２１と、複数の遮光膜（シート状遮光部）２２２とを含む。遮光膜２２２は、光透過部材２１１の中に配置された複数の遮光膜２２２ａと、光透過部材２１１の上面に配置された遮光膜２２２ｂと、光透過部材２１１の下面に配置された遮光膜２２２ｃとを含む。複数の遮光膜２２２は、互いに平行に略等間隔で配置されている。すなわち、複数の遮光膜２２２は、ストライプ状に配置されている。さらに、複数の遮光膜２２２は、ＬＥＤ１１１の光出射面に対して垂直に配置されている。なお、本発明の効果が得られる限り、複数の遮光膜２２２のうちの一部を省略してもよい。
【００４６】
図７Ａおよび図７Ｂに示すように、ＬＥＤパッケージ２１０は、表示装置２００の使用状態において複数の遮光膜２２２が水平方向に対して略平行となるように、表示装置２００に設置される。
【００４７】
遮光膜２２２は、斜め上方から表示装置２００に入射する光がＬＥＤ１１１（具体的には蛍光体を含む樹脂層１１１ｂ）に入射することを抑制する。一方、ＬＥＤ１１１から放射される光は、光透過部材２１１を透過して出射される。遮光膜２２２は水平方向ＨＤと略平行となるように配置されているため、ＬＥＤから放射されて水平方向ＨＤに広がる光を遮ることなく出射させることができる。そのため、第２の例の表示装置は、水平方向ＨＤに広い視野角を有する。
【産業上の利用可能性】
【００４８】
本発明は、ＬＥＤ表示装置に利用できる。
【符号の説明】
【００４９】
１００、２００  表示装置
１０１  支持体
１１０  ＬＥＤ列
１１１  ＬＥＤ
１２１  遮光板（遮光部材）
１２１ｓ  スリット
１２２  遮光板（他の遮光部材）
２００  ＬＥＤパッケージ
２２０  遮光部材
２２１  光透過部材
２２２  遮光膜（シート状遮光部）
【図１】
2019015771.tif 000003
【図２Ａ】
2019015771.tif 000004
【図２Ｂ】
2019015771.tif 000005
【図３】
2019015771.tif 000006
【図４】
2019015771.tif 000007
【図５】
2019015771.tif 000008
【図６】
2019015771.tif 000009
【図７Ａ】
2019015771.tif 000010
【図７Ｂ】
2019015771.tif 000011